(57)【要約】【課題】  軟弱地盤上にシートを敷設する際に、その敷設する区域の周囲に敷設するシートを用意しておくスペースがない場合でも、容易かつ経済的にシートを敷設することを可能にする。【解決手段】  軟弱地盤上に搬入した足場１上にロール状のシートＳを多数足場の牽引方向とほぼ直角方向に拡げることができるように平行に並べて配置し、足場１を、牽引する方向の岸Ｒに設けたウインチをもってワイヤーで岸側に引き寄せるようにした。【選択図】    図６                                                    
2005200954.tif 000002
【特許請求の範囲】
【請求項１】
足場を軟弱地盤上に搬入し、その足場上にロール状シートを多数足場の牽引方向とほぼ直角方向に拡げることができるように平行に並べて配置し、足場を、牽引する方向の岸に設けたウインチをもってワイヤーで岸側に引き寄せるようにし、先ず岸に一側面を固定してロール状シートを足場の牽引方向と直角方向に拡げ、次いで拡げた長さ分だけウインチで足場を岸側に移動させ、拡げたシート同士を連結して所望の面積になるまで同じ方法で順次連結する軟弱地盤上へのシートの敷設方法。
【請求項２】
請求項１の方法によりシートを敷設した後、横方向に足場を移動させて、請求項１の方法を必要回数くり返す軟弱地盤上へのシートの敷設方法。
【請求項３】
足場の下面に敷設した不透水性シートから軟弱地盤上に向かって圧縮空気を放出して足場下面と軟弱地盤との間に空気層を介在させて足場を移動させる請求項１又は２に記載の軟弱地盤上へのシートの敷設方法。
【請求項４】
足場の下面と軟弱地盤との間に空気層を介在させる装置を足場に具備し、岸には足場に連結したワイヤーを引寄せるウインチを配置した軟弱地盤上へのシートの敷設装置。
【発明の詳細な説明】
【技術分野】
【０００１】
本発明は、主として軟弱地盤上に覆土する際に敷設する覆土用シートの敷設方法および装置に関する。
【背景技術】
【０００２】
粘性土等の細粒土で埋立てられた軟弱地盤は、天日による自然乾燥だけでは土地として利用するのに必要な強度が得られないので、ペーパードレーン工法等によって地盤改良を行う必要がある。
【０００３】
この場合、軟弱地盤に直接作業機械を載せることはできないので、軟弱地盤上にポリエステル等のネットまたはシートを敷設し、その上に覆土を行なうことにより、作業機械の荷重をそれらネットやシートの張力で分担させ、地盤改良を行なっている。
【０００４】
しかしながら、上記覆土用シート等を軟弱地盤上に敷設するには、軟弱地盤の支持力が小さく、一般的には軟弱地盤上に人が載ることができないので、何等かの工夫が必要である。
【０００５】
そこで従来、四角形の各辺を骨組で形成し、各辺で囲まれた内側には不透水性シートを張設して形成したシート台船を、覆土用シート敷設区域の一辺に位置させ、牽引手段に連結し、覆土用シートをシート台船上に展張してすでに敷設した覆土用シートが存在する場合は、すでに敷設した覆土用シートと展張した覆土用シートの接した端部を互いに連結した後、上記牽引手段でシート台船を次の覆土用シートを敷設する位置へ移動して、上記の覆土用シートの敷設作業を繰り返し行なう覆土用シートの敷設方法が知られている。（例えば特許文献１参照）
【特許文献１】特開２００２−３６３９６１号公報
【発明の開示】
【発明が解決しようとする課題】
【０００６】
本発明は、軟弱地盤上にネット又はシート（以下単にシートという）を敷設する際に、その敷設する区域の周囲に敷設するシートを用意しておくスペースがない場合でも、容易かつ経済的にシートを敷設することを可能にしている。
【課題を解決するための手段】
【０００７】
本発明は、足場を軟弱地盤上に搬入し、その足場上にロール状シートを多数足場の牽引方向とほぼ直角方向に拡げることができるように平行に並べて配置し、足場を、牽引する方向の岸に設けたウインチをもってワイヤーで岸側に引き寄せるようにし、先ず岸に一側面を固定してロール状シートを足場の牽引方向と直角方向に拡げ、次いで拡げた長さ分だけウインチで足場を岸側に移動させ、拡げたシート同士を連結して所望の面積になるまで順次連結してシートを軟弱地盤上に敷設する方法からなり、またさらに、かゝる方法によりシートを敷設した後、横方向に足場を移動させて、前記と同じ方法を必要回数くり返す軟弱地盤上へのシートの敷設方法からなる。
【０００８】
また本発明は、上記の方法において、足場の下面に敷設した不透水性シートから軟弱地盤上に向かって圧縮空気を放出して足場下面と軟弱地盤との間に空気層を介在させて足場を移動させる軟弱地盤上へのシートの敷設方法をも特徴とし、かゝる方法を実施する装置として、足場の下面と軟弱地盤との間に空気層を介在させる装置を足場に具備し、岸には足場に連結したワイヤーを引寄せるウインチを配置した軟弱地盤上へのシートの敷設装置を用いた。
【発明の効果】
【０００９】
本発明はロール状シートを必要数だけ足場に積載して軟弱地盤上に敷設することができるので、敷設効率が良く、敷設作業を容易、迅速に行なうことができる。
【００１０】
したがって、沢山のロール状シートを岸に置いて、それを一々取り出して敷設するという非効率さがないだけでなく、岸にはロール状シートを置くスペースが要求されない。
【００１１】
また本発明では、沢山のロール状シートを足場の進行方向と直角方向に拡げるに際して他の載置されているロール状シートの上を跨ぐようにして拡げることができるので作業が容易、迅速に行なうことができる。さらに足場が軟弱地盤の粘着力で移動ができなくなった場合でも足場と軟弱地盤との間に圧縮空気を放出させることにより足場の移動を容易に行なうことができる。
【発明を実施するための最良の形態】
【００１２】
以下図面を参照して本発明につき説明する。
【００１３】
図１は本発明の敷設方法により軟弱地盤を覆土する際に覆土用シートの敷設時に使用する作業用足場１の平面図である。
【００１４】
この足場１はほぼ四辺形からなり、その周辺は、図２（図１のＡ−Ａ断面）に示すごとく発泡スチロールからなる浮体２で形成し、その浮体２の中に鋼管３を取付けて浮体２の補強を行なっている。
【００１５】
足場１の内側には補強のための骨組４が縦横に架設されており、足場１は各骨組４を縦横に交叉させて丈夫に作られており、それらの骨組４および浮体２の底面には不透水性シート５が張設され、不透水性シート５の張力により足場１が軟弱地盤内に没入するのを防止している。
【００１６】
万一、不透水性シートが破れても足場１の周辺に設けた浮体２の浮力により足場１が沈むのを防止できる。
【００１７】
本発明の方法は次のように行なわれる。
【００１８】
(1) 軟弱地盤上に前記の足場１を搬入するが、その足場１の大きさは大体１枚のシートの大きさとほぼ同一形状のものが採用され、足場に張設された不透水性シート５としては例えば高密度ポリエチレンシートが用いられる。
【００１９】
(2) 次に、足場１を牽引する方向（図５、図６の矢印Ｄ方向）の対岸Ｒにウインチ６を配置した履帯を有する走行体７を配置し、ウインチ６と足場のワイヤー９とをワイヤー８で連結する。
【００２０】
そして敷設せんとする面積分だけの数のロール状シートＳを図５に示す足場１上に、足場１を牽引する方向Ｄに向くようにロール状シートＳを多数本平行に並べる。
【００２１】
(3) そこでまず足場１を、シートの敷設を開始しようとする場所に位置させ、図５の足場１上のロール状ネットＳのうちの最右端のロール状シートＳ1 の一端面を岸Ｒ1 に固定し、次いでその他端面を引き出す。その場合、他の並んでいるロール状シートＳ2 ，Ｓ3 ・・・の上をまたぐように引き出し、１枚分を拡げ、その状態で岸Ｒ2 側の端面を岸Ｒ2 に固定する。
【００２２】
(4) そこで拡げられたロール状シートＳ1 をその位置に残したまま足場１を次の位置に向かって矢印Ｄ方向に移動する。その移動は図６に示すように対岸Ｒに配置した走行体７上のウインチによりワイヤー８を引いて行なわれる。
【００２３】
このようにして次の場所に足場１が移動すると、隣りのロール状シートＳ2 を上記と同様に拡げる。ロール状シートＳ2 が拡げ終わると、先に敷設したシートＳ1 の端面とＳ2 の端面とを連結する。
【００２４】
このような作業を順次行なうことにより対岸Ｒまで来ると、ウインチ６を配置した走行体７を斜め横方向から足場１を横方向に移動させて次に敷設せんとする隣りの列の位置まで足場１を移動し、上記と同じ工程で対岸Ｒ2 に向かって敷設を開始し、このような工程を以下繰り返してシートＳの敷設を行なう。
【００２５】
なお、岸Ｒ1 の対岸に別のウインチを設置しておき、このウインチと足場のワイヤーとをワイヤーで連結して、ウインチによって足場を横方向に移動してもよい。
【００２６】
以上の作業を繰り返し行なうに際して、足場１を軟弱地盤上に長時間停止した場合には足場１が軟弱地盤の粘着力で移動できなくなる場合がある。本発明ではそのような時や随時次のような作業を行なうことにより足場１を容易に移動できるようにする。
【００２７】
図４は図１のＰ位置の断面図を示すが、骨組４は、図３、図４に示すごときアルミ鋼管を用い、そのアルミ鋼管からなる骨組４内にパイプを通し、その中に圧縮空気Ｙを導入し、その圧縮空気を、不透水性シート５に孔を設けたその孔を通して圧縮空気Ｙをパイプ９により軟弱地盤上に放出させる。それにより不透水性シート５と軟弱地盤との間に空気層を形成して足場１が軟弱地盤の粘着力を低下させることになり、足場の移動を容易に行なうことができる。
【００２８】
なお、不透水性シート５に孔を設けた箇所は、その上方を不透水性５で覆い不透水性を保たせている。
【００２９】
以上の作業を繰り返すことにより軟弱地盤上に必要なだけの面積のシートの敷設を行なうことができる。
【図面の簡単な説明】
【００３０】
【図１】本発明で使用する足場の平面図である。
【図２】図１のＡ−Ａ断面図である。
【図３】図１のＢ−Ｂ断面図である。
【図４】図１のＰ部分の断面図である。
【図５】足場の上にロール状シートを並べて設けた平面図である。
【図６】軟弱地盤上に多数のシートを連接した状態を示す平面図である。
【図７】岸に用意した走行体上のウインチをもって足場を横方向に引張っているところを示す平面図である。
【符号の説明】
【００３１】
１    足場                      ５    不透水性シート
６    ウインチ                  ７    走行体
８    ワイヤ                    Ｓ    ロール状シート
Ｒ    岸                        Ｙ    圧縮空気
【図１】
2005200954.tif 000003
【図２】
2005200954.tif 000004
【図３】
2005200954.tif 000005
【図４】
2005200954.tif 000006
【図５】
2005200954.tif 000007
【図６】
2005200954.tif 000008
【図７】
2005200954.tif 000009